(57)【要約】【課題】  周縁部の少なくとも一部の表面に波形等の凹凸が付与された構成の浴槽の上に該浴槽との間に隙間を極力排除した状態で載置することのできる浴槽蓋を提供する。【解決手段】  蓋本体部２の周縁部の少なくとも一部から外方に向けて可撓性を有する軟質縁部３を延設する。軟質縁部３は、自重により浴槽上面の凹凸形状に対応して撓むことのできるものであるのが好ましい。中でも、軟質縁部３は、合成樹脂製袋体の中に含水状態の吸水性ポリマーが封入されたものからなるのが特に好ましい。【選択図】  図１
2005046397.tif 000002
【特許請求の範囲】
【請求項１】
蓋本体部と、該蓋本体部の周縁部の少なくとも一部から外方に向けて延ばされた軟質縁部とを備えてなり、前記軟質縁部は可撓性を有するものであることを特徴とする浴槽蓋。
【請求項２】
蓋本体部と、該蓋本体部の周縁部の少なくとも一部から外方に向けて延ばされた軟質縁部とを備えてなり、前記軟質縁部は自重により浴槽上面の凹凸形状に沿って撓むことのできるものであることを特徴とする浴槽蓋。
【請求項３】
前記軟質縁部は、合成樹脂製袋体の中に軟質部材が封入されたものからなる請求項１または２に記載の浴槽蓋。
【請求項４】
前記軟質部材として、水、油、粉粒体等の流動体が用いられている請求項３に記載の浴槽蓋。
【請求項５】
前記軟質部材として、含水状態の吸水性ポリマーが用いられている請求項３に記載の浴槽蓋。
【請求項６】
前記軟質縁部を構成する袋体は、その内部が複数個の独立空間に分割され、これら各独立空間内に前記軟質部材が封入されている請求項３〜５のいずれか１項に記載の浴槽蓋。
【請求項７】
前記蓋本体部は、合成樹脂製袋体の中に断熱材が封入されたものからなる請求項１〜６のいずれか１項に記載の浴槽蓋。
【請求項８】
前記断熱材として、合成樹脂発泡体からなる断熱材が用いられている請求項７に記載の浴槽蓋。
【請求項９】
前記蓋本体部の長さ方向の中央部に幅方向に延びる薄肉ヒンジ部が形成されている請求項１〜８のいずれか１項に記載の浴槽蓋。
【請求項１０】
合成樹脂製袋体の中に吸水性ポリマーが封入されてなる軟質縁部が蓋本体部の周縁部の少なくとも一部から外方に向けて延ばされてなる蓋体を製作する工程と、
前記蓋体の軟質縁部の袋体に注射針等の中空針を刺して該中空針を介して前記袋体内に水を注入する工程とを包含することを特徴とする浴槽蓋の製造方法。
【発明の詳細な説明】
【技術分野】
【０００１】
この発明は、例えば浴槽の周縁に波形状等の表面凹凸形状の延出部が設けられた浴槽の上に該浴槽との間に隙間を極力排除した状態で載置することのできる浴槽蓋及びその製造方法に関する。
【背景技術】
【０００２】
従来、浴槽としては、一般的に、その縁部の上面が全周に亘って略面一に形成されたものが多かった。このような一般的な構造を有する浴槽の上面を覆って保温する等の目的のために用いられる浴槽蓋としては、２枚１組で浴槽の大きさと略同一形状（平面視矩形状等）に形成された硬質材からなる平板状の浴槽蓋（特許文献１参照）、同じく硬質材からなる細長状の中空部材が平行状に多数連結されて形成された巻き取り可能なシャッター式浴槽蓋（特許文献２参照）等が公知である。
【特許文献１】特開平８−１０３３８９号公報
【特許文献２】特開平９−２３９９０号公報
【発明の開示】
【発明が解決しようとする課題】
【０００３】
ところで、近年、前述したような縁部の上面が全周に亘って略面一に形成された従来型の浴槽以外に、例えば浴槽の周縁部の少なくとも一部の表面に波形形状等の凹凸が付与された構成のもの（例えば図３参照）が上市されるようになってきた。このような浴槽は「デザイン浴槽」とも呼ばれる。
【０００４】
しかるに、このような周縁部の表面に波形等の凹凸形状が付与された浴槽に前記従来の浴槽蓋を載置すると、浴槽の周縁部と浴槽蓋の周縁部との間に大きな隙間が多数生じるので、十分な保温を行うことができないし、湿気が浴室内に充満してしまうというような問題が生じていた。このように周縁部の表面の少なくとも一部に凹凸形状が付与された浴槽に適用することのできる浴槽蓋はこれまでなかったのが実状であった。
【０００５】
この発明は、かかる技術的背景に鑑みてなされたものであって、周縁部の少なくとも一部の表面に波形等の凹凸形状が付与された構成の浴槽の上に該浴槽との間に隙間を極力排除した状態で載置することのできる浴槽蓋およびその製造方法を提供することを目的とする。
【課題を解決するための手段】
【０００６】
前記目的を達成するために、本発明は以下の手段を提供する。
【０００７】
［１］蓋本体部と、該蓋本体部の周縁部の少なくとも一部から外方に向けて延ばされた軟質縁部とを備えてなり、前記軟質縁部は可撓性を有するものであることを特徴とする浴槽蓋。
【０００８】
［２］蓋本体部と、該蓋本体部の周縁部の少なくとも一部から外方に向けて延ばされた軟質縁部とを備えてなり、前記軟質縁部は自重により浴槽上面の凹凸形状に沿って撓むことのできるものであることを特徴とする浴槽蓋。
【０００９】
［３］前記軟質縁部は、合成樹脂製袋体の中に軟質部材が封入されたものからなる前項１または２に記載の浴槽蓋。
【００１０】
［４］前記軟質部材として、水、油、粉粒体等の流動体が用いられている前項３に記載の浴槽蓋。
【００１１】
［５］前記軟質部材として、含水状態の吸水性ポリマーが用いられている前項３に記載の浴槽蓋。
【００１２】
［６］前記軟質縁部を構成する袋体は、その内部が複数個の独立空間に分割され、これら各独立空間内に前記軟質部材が封入されている前項３〜５のいずれか１項に記載の浴槽蓋。
【００１３】
［７］前記蓋本体部は、合成樹脂製袋体の中に断熱材が封入されたものからなる前項１〜６のいずれか１項に記載の浴槽蓋。
【００１４】
［８］前記断熱材として、合成樹脂発泡体からなる断熱材が用いられている前項７に記載の浴槽蓋。
【００１５】
［９］前記蓋本体部の長さ方向の中央部に幅方向に延びる薄肉ヒンジ部が形成されている前項１〜８のいずれか１項に記載の浴槽蓋。
【００１６】
［１０］合成樹脂製袋体の中に吸水性ポリマーが封入されてなる軟質縁部が蓋本体部の周縁部の少なくとも一部から外方に向けて延ばされてなる蓋体を製作する工程と、前記蓋体の軟質縁部の袋体に注射針等の中空針を刺して該中空針を介して前記袋体内に水を注入する工程とを包含することを特徴とする浴槽蓋の製造方法。
【発明の効果】
【００１７】
［１］の発明では、軟質縁部は可撓性を有するので、この浴槽蓋を浴槽上面に被せると、浴槽の周縁部の表面の少なくとも一部に波形等の凹凸形状が付与されていても、軟質縁部が浴槽の周縁部の表面の波形等の凹凸形状に馴染むものとなるから、浴槽の周縁部と浴槽蓋の周縁部との間に隙間ができるのを極力排除することができる。
【００１８】
［２］の発明では、自重により浴槽上面の凹凸形状に対応して撓むことのできるものであるから、この浴槽蓋を浴槽上面に被せると、浴槽の周縁部の表面の少なくとも一部に波形等の凹凸形状が付与されていても、軟質縁部が浴槽の周縁部の表面の波形等の凹凸形状に十分に馴染むものとなり、浴槽の周縁部と浴槽蓋の周縁部との間に隙間ができるのを防止することができる。
【００１９】
［３］の発明では、合成樹脂製袋体の中に軟質部材が封入されて軟質縁部が構成されているので、軟質縁部が浴槽の周縁部の表面の波形等の凹凸形状に十分に馴染む。
【００２０】
［４］の発明では、軟質縁部は、浴槽の周縁部の表面の波形等の凹凸形状により十分に馴染むものとなる。
【００２１】
［５］の発明では、軟質縁部は、浴槽の周縁部の表面の波形等の凹凸形状に十分に沿うものとなるから、浴槽の周縁部と浴槽蓋の周縁部との間に隙間ができるのを確実に防止することができる。
【００２２】
［６］の発明では、袋体の内部が複数個の独立空間に分割され、これら各独立空間内に軟質部材が封入されているから、使用を重ねても軟質部材が袋体の中で偏在するようなことを防止できるので、耐久性に優れた浴槽蓋が提供される。
【００２３】
［７］の発明では、袋体の中に断熱材が封入されているので、浴槽蓋としての保温性を格段に向上できる。また、断熱材が袋体の中に封入されて浴槽のお湯との接触が回避されるので、断熱材本来の断熱性能が損なわれることがない。
【００２４】
［８］の発明では、浴槽蓋としての保温性をさらに向上させることができる。
【００２５】
［９］の発明では、薄肉ヒンジ部の形成により、長さ方向中央部での２つ折りが容易となるので、浴槽蓋の収納性を顕著に向上させることができる。
【００２６】
［１０］の発明では、浴槽の周縁部と浴槽蓋の周縁部との間に隙間ができるのを防止できる浴槽蓋を生産効率良くかつ高品質で製造することができる利点がある。
【発明を実施するための最良の形態】
【００２７】
この発明の一実施形態に係る浴槽蓋（１）を図１、２に示す。これらの図において、（２）は蓋本体部、（３）は軟質縁部である。
【００２８】
前記蓋本体部（２）は、硬質材で構成されていても良いし、或いは軟質材で構成されていても良い。本実施形態では、蓋本体部（２）は軟質材で構成されている。即ち、図２に示すように、蓋本体部（２）は、合成樹脂製袋体（１０）の中に軟質の断熱材（１１）が封入されたものからなる。このような断熱材（１１）が用いられることで浴槽蓋（１）の断熱性能を向上させることができる。前記断熱材（１１）としては、特に限定されるものではないが、例えば合成樹脂発泡体等が挙げられる。この合成樹脂発泡体を構成する樹脂種も特に限定されない。
【００２９】
前記蓋本体部（２）の長さ方向の中央部には幅方向に延びる薄肉ヒンジ部（１２）が設けられている。即ち、図１、２に示すように、前記断熱材（１１）の長さ方向の中央部には幅方向に延びる薄肉ヒンジ部（１２）が形成されている。このような薄肉ヒンジ部（１２）が形成されているので、長さ方向中央部での２つ折りが容易化されるものとなる。
【００３０】
前記軟質縁部（３）は、前記蓋本体部（２）の周縁部の全周から外方に向けて延ばされている。この軟質縁部（３）は、可撓性を有するものでなければならない。このような可撓性を有することで、この浴槽蓋（１）を、周縁部（５１）の表面に波形等の凹凸形状が付与された浴槽（５０）に被せた際に、軟質縁部（３）が浴槽上面の凹凸形状に馴染むので、浴槽の周縁部（５１）と浴槽蓋（１）との間に隙間が殆ど生じないものとなる（図４、５参照）。中でも、前記軟質縁部（３）としては、自重により浴槽上面の凹凸形状に対応して撓むことのできるものが用いられるのが好ましい。具体的には、例えば、合成樹脂性製袋体（４）の中に軟質部材（５）が封入されたもの等が挙げられる。前記軟質部材（５）としては、例えば、水、油、粉粒体等の流動体や、含水状態の吸水性ポリマー等が挙げられる。本実施形態では、前記軟質縁部（３）は、合成樹脂性製袋体（４）の中に含水状態の吸水性ポリマー（５）が封入されたもので構成されている（図２参照）。なお、（７ａ）は、袋体の上面部と下面部を接合（融着等）して区画を形成した内側接合部であり、（７ｂ）は、袋体の上面部と下面部を最周縁で接合した外側接合部である。
【００３１】
上記実施形態の浴槽蓋は、次のようにして製造される。即ち、まず上下一対の合成樹脂製フィルムの間の空間に断熱材（１１）を配置し、その周囲の全周にわたって吸水性ポリマーを配置した後、前記断熱材（１１）と吸水性ポリマーの境界部を融着せしめて内側接合部（７ａ）を形成すると共に、最周縁部も全周にわたって融着せしめて外側接合部（７ｂ）を形成して蓋体を製作する。しかる後、前記蓋体の軟質縁部（３）の袋体（４）の内部空間内に注射針等の中空針を刺して該中空針を介して袋体（４）の中に水を注入する。注入された水を吸水性ポリマーが吸水して、袋体（４）の中に含水状態の吸水性ポリマー（５）が封入された状態になり、こうして前記実施形態の浴槽蓋（１）が製作される。
【００３２】
しかして、本発明の浴槽蓋（１）を、図３に示すような、周縁部（５１）の表面の少なくとも一部に波形等の凹凸形状が付与された構成の浴槽（５０）の上に被せると（図４参照）、図５に示すように、浴槽蓋（１）の軟質縁部（３）は、浴槽（５０）の周縁部（５１）の凹凸形状に沿って撓むので、浴槽の周縁部（５１）と浴槽蓋の軟質縁部（３）との間に隙間ができるのが防止される。
【００３３】
上記実施形態では、前記蓋本体部（２）の周縁部の全周に亘って外方に向けて軟質縁部（３）が延ばされた構成が採用されているが、周縁部の一部から外方に向けて軟質縁部（３）が延ばされた構成を採用しても良い。例えば図６に示すように、周縁部のうち短辺側を軟質縁部（３）で構成する一方、周縁部のうち長辺側を硬質縁部（３０）で構成するようにしても良い。
【００３４】
また、上記実施形態では、軟質縁部（３）を構成する袋体（４）の内部空間は全周にわたって連通された構成が採用されているが、特にこれに限定されるものではなく、例えば図７に示すように、軟質縁部（３）の幅方向に分割接合部（７ｃ）が形成されてその内部空間が複数個の独立空間（４ａ）に分割されて、これら各独立空間（４ａ）内に前記軟質部材（５）が封入された構成を採用しても良い。
【００３５】
この発明の浴槽蓋（１）は、周縁部の表面の少なくとも一部に波形等の凹凸形状が付与された構成の浴槽（例えば図３参照）の上に載置する浴槽蓋として用いられるのは勿論のこと、縁部の上面が全周にわたって略面一に形成された従来型の浴槽の上に載置する浴槽蓋としても用いられ得る。このように本発明の浴槽蓋（１）は汎用性に優れたものとなる。
【図面の簡単な説明】
【００３６】
【図１】この発明の一実施形態に係る浴槽蓋を示す平面図である。
【図２】図１におけるＡ−Ａ線の断面図である。
【図３】デザイン浴槽の一例を示す斜視図である。
【図４】浴槽蓋をデザイン浴槽に装着した状態を示す斜視図である。
【図５】図４におけるＢ−Ｂ線の断面図である。
【図６】他の実施形態に係る浴槽蓋を示す平面図である。
【図７】更に他の実施形態に係る浴槽蓋を示す平面図である。
【符号の説明】
【００３７】
１…浴槽蓋
２…蓋本体部
３…軟質縁部
４…袋体
４ａ…独立空間
５…軟質部材
７…接合部
１０…袋体
１１…断熱材
１２…薄肉ヒンジ部
【図１】
2005046397.tif 000003
【図２】
2005046397.tif 000004
【図３】
2005046397.tif 000005
【図４】
2005046397.tif 000006
【図５】
2005046397.tif 000007
【図６】
2005046397.tif 000008
【図７】
2005046397.tif 000009